(57)【特許請求の範囲】
【請求項１】
歯列部の内側に係止される左右一対の床部と、
前記左右一対の床部の間に設けられ、前記左右一対の床部の間を外側に広げる拡大手段と、を備え、
前記左右一対の床部は、口腔内の形状に適合するように成形された左右一対の樹脂製シートと、該左右一対の樹脂製シートにそれぞれ設けられて所定の強度とする左右一対の補強用樹脂とを有し、
前記左右一対の床部は、左右の歯列部の内側に配置され、これら左右の歯列部の内側に外縁部が沿う形状に形成され、
前記左右一対の樹脂製シート又は前記左右一対の補強用樹脂のいずれか一方が前記歯列部の奥歯の内側から歯冠部を経てその外側まで覆うようにして前記歯列部の奥歯に取り付けられるように構成したことを特徴とする歯列矯正装置。
【請求項２】
前記補強用樹脂が補強用樹脂シートであって、該補強用樹脂シートが接着剤で固定されて所定の強度を有していることを特徴とする請求項１に記載の歯列矯正装置。
【請求項３】
前記樹脂製シートと前記補強用樹脂シートとが接着剤を介して固定され、前記拡大手段は、前記樹脂製シートと前記補強用樹脂シートとの間に挟み込まれて固定されていることを特徴とする請求項２に記載の歯列矯正装置。
【請求項４】
左右の歯列部の内側にそれぞれ被係止部が設けられる一方、前記左右の被係止部にそれぞれ係止する左右の係止部を前記左右一対の床部の外縁部にそれぞれ設けたことを特徴とする請求項１乃至３のいずれか一項に記載の歯列矯正装置。
【請求項５】
口腔内の形状に適合して成形された樹脂製シートに所定の強度とする補強用樹脂を設けて床部を形成すると同時に、拡大手段を固定した後、
前記拡大手段を境にして左右の床部に切断し、前記拡大手段で前記左右の床部を外側に拡大可能としたことを特徴とする歯列矯正装置の製造方法。
【発明の詳細な説明】
【技術分野】
【０００１】
本発明は、歯列部を矯正する歯列矯正装置及びその製造方法に関する。
【背景技術】
【０００２】
従来、歯列部を矯正する装置には、緩徐拡大矯正装置がある。この緩徐拡大矯正装置には、例えば拡大床タイプの装置がある。この拡大床タイプの装置は、左右の床部と、これら左右の床部を上顎歯列部又は下顎歯列部に固定するためのワイヤと、左右の床部の中央に埋設された拡大ねじとを備えている。このような拡大床タイプの装置は、上記拡大ねじを回転させることで、床部を左右にスライドさせ、側方の上顎歯列部又は下顎歯列部に広がる力を作用させている。（例えば、特許文献１参照）。
【先行技術文献】
【特許文献】
【０００３】
【特許文献１】特許第４３３２６４１号公報
【発明の概要】
【発明が解決しようとする課題】
【０００４】
しかしながら、上述した特許文献１に記載された従来の歯列矯正装置では、左右の床部を上顎歯列部又は下顎歯列部に固定するためのワイヤが設けられていることから、左右の床部にワイヤを固定し、かつ左右の床部を所定の強度とするためには、左右の床部の厚さが厚くなるとともに、左右の床部を作製するのに手間がかかるという問題がある。
【０００５】
本発明はこのような問題に鑑みてなされたものであり、所定の強度が得られ、容易に作製可能な歯列矯正装置及びその製造方法を提供することを課題としている。
【課題を解決するための手段】
【０００６】
かかる課題を達成するために、請求項１に記載の発明は、歯列部の内側に係止される左右一対の床部と、前記左右一対の床部の間に設けられ、前記左右一対の床部の間を外側に広げる拡大手段と、を備え、前記左右一対の床部は、口腔内の形状に適合するように成形された左右一対の樹脂製シートと、該左右一対の樹脂製シートにそれぞれ設けられて所定の強度とする左右一対の補強用樹脂とを有し、前記左右一対の床部は、左右の歯列部の内側に配置され、これら左右の歯列部の内側に外縁部が沿う形状に形成され、前記左右一対の樹脂製シート又は前記左右一対の補強用樹脂のいずれか一方が前記歯列部の奥歯の内側から歯冠部を経てその外側まで覆うようにして前記歯列部の奥歯に取り付けられるように構成したことを特徴とする。
【０００８】
また、請求項２に記載の発明は、請求項１の構成に加え、前記補強用樹脂が補強用樹脂シートであって、該補強用樹脂シートが接着剤で固定されて所定の強度を有していることを特徴とする。
【００１０】
また、請求項３に記載の発明は、請求項２に記載の構成に加え、前記樹脂製シートと前記補強用樹脂シートとが接着剤を介して固定され、前記拡大手段は、前記樹脂製シートと前記補強用樹脂シートとの間に挟み込まれて固定されていることを特徴とする。
【００１２】
また、請求項４に記載の発明は、請求項１乃至３のいずれか一項に記載の構成に加え、左右の歯列部の内側にそれぞれ被係止部が設けられる一方、前記左右の被係止部にそれぞれ係止する左右の係止部を前記左右一対の床部の外縁部にそれぞれ設けたことを特徴とする。
【００１３】
また、請求項５に記載の発明は、口腔内の形状に適合して成形された樹脂製シートに所定の強度とする補強用樹脂を設けて床部を形成すると同時に、拡大手段を固定した後、前記拡大手段を境にして左右の床部に切断し、前記拡大手段で前記左右の床部を外側に拡大可能としたことを特徴とする。
【発明の効果】
【００１４】
請求項１に記載の発明によれば、左右一対の床部は、口腔内の形状に適合するように成形された樹脂製シートと、この樹脂製シートに設けられて所定の強度とする補強用樹脂とを有することから、所定の強度が得られ、容易に作製することが可能となる。
また、請求項１に記載の発明によれば、左右一対の床部は、左右の歯列部の内側に外縁部が沿う形状に形成され、左右一対の床部を形成する樹脂製シート又は補強用樹脂のいずれか一方が歯列部の奥歯の内側から歯冠部を経てその外側まで覆うようにして歯列部の奥歯に取り付けられるように構成したので、左右一対の床部をより確実かつ強固に保持することが可能となる。
さらに、請求項１に記載の発明によれば、左右一対の床部は、左右の歯列部の内側に配置され、これら左右の歯列部の内側に外縁部が沿う形状に形成されているため、左右の歯列部の内側に左右一対の床部を容易に固定することができる。
【００１６】
また、請求項２に記載の発明によれば、補強用樹脂が補強用樹脂シートであって、この補強用樹脂シートが接着剤で固定されて所定の強度を有しているので、一段と容易に作製することが可能となる。
【００１８】
また、請求項３に記載の発明によれば、樹脂製シートと補強用樹脂シートとが接着剤を介して固定され、拡大手段は、樹脂製シートと補強用樹脂シートとの間に挟み込まれて固定されるため、樹脂製シートに拡大手段を容易に取り付けることができる。
【００２０】
また、請求項４に記載の発明によれば、左右の歯列部の内側にそれぞれ被係止部が設けられる一方、前記左右の被係止部にそれぞれ係止する左右の係止部を前記左右一対の床部の外縁部にそれぞれ設けたことにより、左右の歯列部の内側に左右一対の床部を確実かつ容易に固定することができる。
【００２１】
また、請求項５に記載の発明によれば、口腔内の形状に適合して成形された樹脂製シートに所定の強度とする補強用樹脂を設けて床部を形成すると同時に、拡大手段を固定した後、前記拡大手段を境にして左右の床部に切断し、前記拡大手段で前記左右の床部を外側に拡大可能としたことにより、所定の強度が得られる歯列矯正装置を容易に製造することが可能となる。
【図面の簡単な説明】
【００２２】
【図１】本発明の第１実施形態に係る歯列矯正装置を上顎歯列部に装着した状態を示す下面図である。
【図２】図１のＩＩ−ＩＩに沿う断面図である。
【図３】図１のＩＩＩ−ＩＩＩに沿う断面図である。
【図４】本発明の一実施形態に係る歯列矯正装置の製造方法を示す工程図である。
【図５】本発明の第２実施形態に係る歯列矯正装置を上顎歯列部に装着した状態を示す下面図である。
【図６】図５のＡ部を示す拡大図である。
【図７】図５のＶＩＩ−ＶＩＩに沿う断面図である。
【図８】本発明の第３実施形態に係る歯列矯正装置を下顎歯列部に装着した状態を示す拡大断面図である。
【発明を実施するための形態】
【００２３】
以下、本発明の実施形態について説明する。なお、以下の実施形態は、口腔内の上顎の上歯列に歯列矯正装置としての拡大床を装着した例について説明する。
［発明の第１実施形態］
図１〜図４には、本発明の第１実施形態を示す。
【００２４】
図１は、本発明の第１実施形態に係る歯列矯正装置を上顎歯列部に装着した状態を示す下面図である。図２は、図１のＩＩ−ＩＩに沿う断面図である。図３は、図１のＩＩＩ−ＩＩＩに沿う断面図である。
【００２５】
図１に示すように、歯列矯正装置としての拡大床１０は、左右の床部１１と、拡大手段としての拡大ねじ１５及びガイド部１６とを備える。左右の床部１１は、それぞれアクリル樹脂等の樹脂シートによって作製され、所定の可撓性を備えている。左右の床部１１は、口腔１内の形状に適合するように成形されている。
【００２６】
左右の床部１１は、図３に示すように左右の歯列部としての左右の奥歯４の内側に係止されるように、それぞれ外縁側が左右の奥歯４の内側の形状に沿うように形成されている。具体的には、左右の床部１１の外縁側は、左右の奥歯４の歯頚部寄りの内側の形状に沿うように形成されている。
【００２７】
この左右の奥歯４の内側の形状は、光学的にスキャンすることで検出され、このスキャンデータに基づいて例えば鋸、レーザカッター等の切断手段で切断することにより左右の床部１１の外縁側が形成される。
【００２８】
拡大ねじ１５は、金属によって作製されて左右の床部１１間に設置されている。拡大ねじ１５は、例えば専用の回転用工具を用いて回転させることで、左右の床部１１を介して左右の奥歯４の位置を拡大するような力を付与する。拡大ねじ１５の両側には、それぞれガイド部１６が設けられている。これらのガイド部１６は、拡大ねじ１５を回転させたとき、左右の床部１１が同一平面を保持して開くように案内する。
【００２９】
図２に示すように、左右一対の床部１１は、口腔１内の形状に適合するようにプレス成形された樹脂製シート１２と、この樹脂製シート１２に設けられて所定の強度とする補強用樹脂としての補強用樹脂シート１３とを有している。樹脂製シート１２及び補強用樹脂シート１３は、それぞれ例えばエポキシ樹脂、アクリル樹脂、ウレタン樹脂、シアノアクリレート、又はポリウレタン樹脂等の樹脂が用いられる。この補強用樹脂シート１３は、樹脂製シート１２に接着剤で固定されるときにプレス成形される。この接着剤には、例えばエポキシ樹脂系、アクリル樹脂系、ウレタン樹脂系、シアノアクリレート系、又はポリウレタン樹脂系等の接着剤が用いられる。
【００３０】
拡大ねじ１５及びガイド部１６には、補強用樹脂シート１３を樹脂製シート１２に接着剤で固定する前に補強用樹脂シート１３又は接着剤にて仮固定される。拡大ねじ１５及びガイド部１６は、樹脂製シート１２に補強用樹脂シート１３が接着剤を介してプレス成形接着されるときに挟み込まれて固定される。
【００３１】
なお、本実施形態では、補強用樹脂シート１３の樹脂として混合することで硬化する材料を用いてもよく、また補強用樹脂シート１３の樹脂として紫外線等の光を照射して硬化するものを使用してもよい。
【００３２】
次に、本実施形態の歯列矯正装置としての拡大床１０の製造方法について説明する。図４は、本発明の一実施形態に係る歯列矯正装置の製造方法を示す工程図である。
【００３３】
まず、樹脂製シート１２を口腔１内の形状に適合するように例えばプレス成形する（ステップＰ１）。次いで、樹脂製シート１２を所定の強度とするため、樹脂製シート１２に補強用樹脂シート１３を接着剤で固定して例えばプレス成形により床部を形成すると同時に、拡大ねじ１５及びガイド部１６を固定する（ステップＰ２）。この場合、拡大ねじ１５及びガイド部１６には、上記のように樹脂製シート１２に補強用樹脂シート１３を接着剤で固定する前に、補強用樹脂シート１３又は接着剤にて仮固定される。
【００３４】
その後、床部を拡大ねじ１５を境にして鋸、レーザカッター等の切断手段を用いて左右の床部１１に切断し、拡大ねじ１５及びガイド部１６で左右の床部１１を外側に拡大可能としている（ステップＰ３）。
【００３５】
次に、本実施形態の歯列矯正装置としての拡大床１０の作用について説明する。
【００３６】
拡大床１０を左右の奥歯４の間に装着するには、左右の奥歯４の歯頚部寄りの内側に左右の床部１１のそれぞれ外縁側を嵌め込むことで、左右の奥歯４の間に固定される。これにより、左右の奥歯４を横方向に短期間で拡げることができる。
【００３７】
このように本実施形態の拡大床１０によれば、左右一対の床部１１は、口腔１内の形状に適合するようにプレス成形された樹脂製シート１２と、この樹脂製シート１２に設けられて所定の強度とする補強用樹脂シート１３とを有することから、所定の強度が得られ、容易に作製することが可能となる。
【００３８】
また、本実施形態の拡大床１０によれば、補強用樹脂が補強用樹脂シート１３であって、この補強用樹脂シート１３が接着剤で樹脂製シート１２に接着されて所定の強度を有しているので、一段と容易に作製することが可能となる。
【００３９】
また、本実施形態の拡大床１０によれば、拡大ねじ１５及びガイド部１６は、樹脂製シート１２に補強用樹脂シート１３が接着されるときに固定されるため、樹脂製シート１２に拡大ねじ１５及びガイド部１６を容易に取り付けることができる。
【００４０】
また、本実施形態の拡大床１０によれば、拡大ねじ１５及びガイド部１６は、樹脂製シート１２に補強用樹脂シート１３が接着剤で接着されるときに挟み込まれて固定されるため、樹脂製シート１２に拡大ねじ１５及びガイド部１６を容易に取り付けることができる。
【００４１】
また、本実施形態の拡大床１０によれば、左右一対の床部１１は、左右の奥歯４の内側に配置され、これら左右の奥歯４の内側に係止されるように外縁部が左右の奥歯４の内側の形状に沿った形状に形成されているため、左右の奥歯４の歯頚部寄りの内側に左右一対の床部１１を容易に固定することができる。この場合、左右の奥歯４の歯頚部寄りの内側は、歯根部の中心に向かって徐々に傾斜しているので、左右一対の床部１１を確実に固定することができるとともに、固定後には簡単に外れるのを未然に防止することが可能となる。
【００４２】
また、本実施形態の拡大床１０の製造方法によれば、口腔１内の形状に適合するように樹脂製シート１２をプレス成形し、次いで、樹脂製シート１２に所定の強度とする補強用樹脂部１３を設けて床部を形成すると同時に、拡大ねじ１５及びガイド部１６を固定した後、拡大ねじ１５及びガイド部１６を境にして左右の床部１１に切断し、拡大ねじ１５及びガイド部１６で左右の床部１１を外側に拡大可能としたことにより、所定の強度が得られる拡大床１０を容易に製造することが可能となる。
［発明の第２実施形態］
図５〜図７には、本発明の第２実施形態を示す。図５は、本発明の第２実施形態に係る歯列矯正装置を上歯に設置した状態を示す下面図である。図６は、図４のＡ部を示す拡大図である。図７は、図５のＶＩＩ−ＶＩＩに沿う断面図である。なお、本実施形態では、以下に説明する事項以外については前記第１実施形態と同様であるので、前記第１実施形態と異なる事項以外は説明を省略する。
【００４３】
本実施形態の歯列矯正装置としての拡大床１０は、図５〜図７に示すように、左右の各奥歯４の歯頚部寄りの内側、すなわち舌側にそれぞれ被係止部としての突出部５が接着剤で接着されて設けられている。これらの突出部５は、プラスチックによって少なくとも１ｍｍの長さに成形されている。各突出部５は、舌側に突出するように円錐状に形成されている。
【００４４】
なお、本実施形態の突出部５は、円錐状に形成されているが、この形状に限定することなく、例えば角錐状、円錐台状、角錐台状、円柱状、平面側を奥歯４の左右の内側に接着する半円柱状、半球状に形成したもの等、左右の床部１１を係止するものであれば、如何なる形状であってもよい。
【００４５】
一方、拡大床１０の左右の床部１１の外縁部には、これら左右の突出部５にそれぞれ嵌り込んで係止する左右の係止部としての嵌合凹部１７が設けられている。具体的には、左右の突出部５が円錐形状であることから、嵌合凹部１７もその円錐が嵌り込む形状に形成されている。
【００４６】
ここで、本実施形態において、拡大ねじ１５及びガイド部１６を金属ではなく、硬質のプラスチックにて構成すれば、全ての部材がプラスチック製となり、金属アレルギーの使用者でも装着することが可能になる。
【００４７】
このように本実施形態によれば、左右の奥歯４の内側にそれぞれ突出部５が設けられる一方、これらの突出部５にそれぞれ係止する左右の嵌合凹部１７を左右一対の床部１１の外縁部にそれぞれ設けたことにより、左右の奥歯４の内側に左右一対の床部１１を確実かつ容易に固定することができる。
【００４８】
なお、本実施形態では、突出部５に嵌合凹部１７が嵌り込んで係止するように構成したが、これに限らず互いに嵌合して係止するものであれば、如何なるものであってもよい。
【００４９】
また、本実施形態では、左右の奥歯４の内側に突出部５を直接固定した例について説明したが、これに限らずマウスピースの奥歯４に対応する内側に突出部５を固定するようにしてもよい。
【００５０】
さらに、本実施形態では、左右の全ての奥歯４の内側に突出部５を固定する例について説明したが、これに限らず一つおきの奥歯４の内側に突出部５を固定するようにしてもよい。左右一対の床部１１を係止することができれば、左右の奥歯４のそれぞれの少なくとも一つの奥歯４に突出部５を固定すればよい。
［発明の第３実施形態］
図８は、本発明の第３実施形態に係る歯列矯正装置を下顎歯列部に装着した状態を示す拡大断面図である。なお、本実施形態では、以下に説明する事項以外については前記第１実施形態と同様であるので、前記第１実施形態と異なる事項以外は説明を省略する。
【００５１】
図８に示すように、本実施形態では、樹脂製シート１２に補強用樹脂シート１３が接着剤で固定され、この補強用樹脂シート１３が奥歯４の歯冠部を経て奥歯４の外側まで覆うように形成されている。
【００５２】
なお、本実施形態では、補強用樹脂シート１３を奥歯４の外側まで覆うようにしたが、これに限らず樹脂製シート１２を奥歯４の外側まで覆うようにしてもよく、また樹脂製シート１２及び補強用樹脂シート１３の双方を奥歯４の外側まで覆うようにしてもよい。さらに、本実施形態では、樹脂製シート１２に補強用樹脂シート１３を固定することなく、樹脂製シート１２だけを奥歯４の外側まで覆うようにしてもよい。
【００５３】
本実施形態では、上記のように奥歯４の外側までを覆うようにした場合、奥歯４の咬頭部、歯の平均的な高さにより設定される平面よりも高い位置の歯、歯列部の全体の平均的な高さにより設定される平面よりも高い位置の歯冠部に対応する部位に開口部を形成するようにすれば、この開口部に歯が嵌り込むことで、咬合部の肉厚分だけ垂直方向の圧力が低減され、咬頭部を有する歯、歯の平均的な高さにより設定される平面よりも高い位置の歯、あるいは歯列部の全体の平均的な高さにより設定される平面よりも高い位置の歯の圧下を未然に防止することができる。
【００５４】
例えば、上記各実施形態では、拡大床１０の素材、形状については、口腔内に挿入することができるもので同様の機能を有するものであれば、適宜の素材で構成されていてもよい。
【００５５】
また、上記各実施形態では、歯列矯正装置としての拡大床１０を上顎歯列部に装着した例について説明したが、これに限らず下顎歯列部に装着するようにしてもよい。
【符号の説明】
【００５６】
１  口腔
４  奥歯（歯列部）
５  突出部（被係止部）
１０  拡大床（歯列矯正装置）
１１  床部
１２  樹脂製シート
１３  補強用樹脂シート（補強用樹脂）
１５  拡大ねじ（拡大手段）
１６  ガイド部（拡大手段）
１７  嵌合凹部（係止部）
【要約】
【課題】所定の強度が得られ、容易に作製可能な歯列矯正装置を提供する。
【解決手段】歯列部である奥歯４の内側に係止される左右一対の床部１１と、左右一対の床部１１の間に設けられ、左右一対の床部１１の間を外側に広げる拡大ねじ１５、ガイド部１６と、を備え、左右一対の床部１１は、口腔１内の形状に適合するように成形された樹脂製シートと、この樹脂製シートに設けられて所定の強度とする補強用樹脂とを有する。
【選択図】図１【図１】
0006865482.tif 000002
【図２】
0006865482.tif 000003
【図３】
0006865482.tif 000004
【図４】
0006865482.tif 000005
【図５】
0006865482.tif 000006
【図６】
0006865482.tif 000007
【図７】
0006865482.tif 000008
【図８】
0006865482.tif 000009